Podtech/llm-jp-corpus-v4-ja_patent huggingface dataset:
(57)【要約】【課題】本発明は、そば芽の粉末の製造方法であって、本粉末を食品に添加し、ルチンを多く含んだ緑色に仕上る健康食品を製造することを目的とする。【解決手段】全長１０から１５センチメートルに成長したそば芽を刈り取り、水洗いをして後、温風乾燥機にて乾燥して粉末体とする。また、これを食品の製造段階で適量添加して、健康食品を製造する。【特許請求の範囲】
【請求項１】
そばを土耕栽培し、全長１０ｃｍから１５ｃｍのスプラウトの段階で葉と茎を含めて刈り取り、水洗いをし、水切り後温風にて乾燥し、該乾燥したそばのスプラウトを粉砕して粉末体とするそば芽粉末の製造方法。
【請求項２】
当該そば芽粉末を混入した食品の製造方法。
【発明の詳細な説明】
【産業上の利用分野】
【０００１】本発明はそば芽の粉末の製造方法に関する。
【背景技術】
【０００２】従来からそばに含まれる機能性成分のルチンが、抗酸化物質として人体に有効であること、特にそばの若葉にはそばの実の１００倍のルチンが含まれていることが知られていて、そばのスプラウトとして食されている。【０００３】本願発明に関連する先行技術文献情報として、たとえば、下記の特許文献１のものがある。
特許文献１のものは、開花前のそばの葉や茎に含まれるルチンに着目し、この葉や茎を粉末にして小麦粉やそば粉（実のみのもの）と混ぜてそば麺としたり、あるいはパンとして食することができ、さらには水や湯に溶かして青汁として飲料とするものである。
【特許文献１】特開平０９−２７１３４７号公報
【０００４】本願発明は、前記特許文献１の開花前のそばの葉や茎よりも更に多くのルチンを含むそばの芽に着目し、これを粉末にしてそば麺などの食品に混入し、食感を向上させ健康食品を製造するものである。
【発明の開示】
【発明が解決しようとする課題】
【０００５】本願発明は、そば実以上にルチンを含有するそば芽を粉末状に粉砕し、そば麺をはじめ様々な食品に添加し、健康食品を製造しようとするものである。
【課題を解決するための手段】
【０００６】本願発明は、そば実以上にルチンを含有するそば芽を土壌で農薬を使用せずに安全で健康な自然食品として栽培し、そば芽が１０センチメートルから１５センチメートルに成長した頃に刈取り、土や汚れを水洗いで落とした後に温風乾燥によって乾燥させ、これを粉末状に粉砕する。
また、本粉末を食品に添加することでルチンを多く含んだ健康食品を容易に得ることができる。
【発明の効果】
【０００７】前記の粉末をたとえばそば粉に添加してそば麺を製造すると、つるつるとした食感が増し自然な緑色も加わり新そばのようなそば麺が得られる。さらに本粉末を添加することで、通常のそば麺よりもルチンの含有量の多いそば麺が得られる。
【発明の実施するための最良の形態】
【０００８】本発明は、全長が１０センチメートルから１５センチメートルに成長したそば芽を刈り取り、このそば芽を水洗いをして土、汚れを落し、温風で乾燥させるもので、この乾燥したそば芽を粉砕機にかけて粉末体とするものである。
(57)【要約】【課題】  生細胞を生着させたサイズ、形状の異なる物質を容易に着脱できる。さらに、この物質に対して一軸方向の伸展刺激を二次元、三次元的に負荷することを課題とする。【解決手段】  ▲２▼を使ってクランプ部を取り外し、独立させることで試料の着脱を容易にする。また、二次元、三次元の試料を挟み込むため▲５▼に試料をのせ、▲４▼および▲３▼で固定する。この際、サイズ、形状の異なる試料を挟むため、▲４▼の遊びを大きくする。この方法で取り付けた二次元、三次元の試料に対し、▲７▼により駆動する▲６▼が前後へ動くことで、一軸方向の伸展刺激負荷を与えることができる。【選択図】  図２
2007054034.tif 000002
【特許請求の範囲】
【請求項１】
生物組織または材料、細胞、細胞外基質、細胞・細胞外基質複合体、細胞・材料複合体を保持し、これらに対して二次元、三次元的に伸展刺激を負荷できることを特徴とする装置。
【請求項２】
持続的あるいは間欠的または一時的な伸展刺激負荷を人為的に調節できることを特徴とする請求項１記載の装置。
【請求項３】
試料に対する振幅を人為的に調節できることを特徴とする請求項１または２記載の装置。
【請求項４】
シートまたはゲル、スポンジ、繊維など様々な形状の材料または細胞・細胞外基質複合体、細胞・材料複合体を保持できるクランプ部を備えた請求項１、２または３記載の装置。
【請求項５】
異なる培養液槽を複数もつことで異なる条件の実験を同時に行うことが可能な請求項１、２、３または４記載の装置。
【請求項６】
クランプ部は着脱可能で、クランプ部のみの滅菌処理が可能なことを特徴とする請求項１、２、３、４または５記載の装置。
【請求項７】
請求項１，２、３、４ないし５の装置を用い培養細胞の運動、増殖、分化、融合、組織構築といった細胞機能制御を二次元ないし三次元的に達成する細胞機能制御方法。
【請求項８】
請求項１，２、３、４ないし５の装置を用い、材料、細胞外基質の配向、長さ、結晶性、力学的性質の制御を二次元ないし三次元的に達成する材料物性制御方法。
【発明の詳細な説明】
【技術分野】
【０００１】    本発明は生細胞を生着させた様々な形状の物質に対して一軸方向の伸展刺激を二次元、三次元的に負荷できる装置およびこの装置を用いた培養方法に関する発明である。
【背景技術】
【０００２】    生体組織を構成する細胞は定期的、不定期的、また外的、内的に種々の機械的刺激が負荷され、この刺激に対応した細胞機能や細胞形態の変化が知られている。このメカニズムを解明するため、弾性を有するポリマーシート上に播種した細胞へ伸展刺激を二次元的に負荷するシステムはすでに開発されている。
【発明の開示】
【発明が解決しようとする課題】
【０００３】  これまでの培養細胞伸展負荷装置には、次のような問題点があった。
伸展刺激は一定の厚みの弾性ポリマーシートに加えられるように設計されているため、細胞に対して二次元での細胞伸展刺激しか達成できず、三次元的に存在する細胞に対して伸展刺激負荷を与えること、あるいは異なる形状を有する材料、細胞外基質への伸展刺激負荷は不可能であった。
本発明は、以上の問題点を解決し、異なる形状、サイズの物質への二次元、三次元的な伸展刺激負荷に有用なものである。
【課題を解決するための手段】
【０００４】  試料を保持する部分をクランプ状の形状にすることで、二次元から三次元まで異なるサイズ、形状の物質を保持することが可能となる。クランプ部は本体からの着脱を可能にすることで試料物質の着脱を容易にし、また、オートクレーブ処理などの滅菌処理が可能となる。
【発明の効果】
【０００５】  シート、スポンジ、ゲル、ファイバーといった異なる形状をもつ物質に対し伸展刺激を負荷できることで、これら物質中に存在する細胞に対する三次元的刺激負荷が可能となり、より生体に近い環境での研究を可能にする。この環境の達成により三次元的な組織構築を実験室的に行うことが可能となる。クランプ部を着脱式にすることで材料の着脱を容易にする。さらに、完全な滅菌処理が可能となり、より長期にわたる安全な実験が可能となる。
【発明を実施するための最良の形態】
【０００６】以下、本発明の実施の形態を説明する。
（イ）異なるサイズ、形状の物質を保持できるようクランプ状にする。
（ロ）クランプ部はネジ止め機構により保持部プレート位置高さを可変でき、異なるサイズ、形状の物質を保持できるようにする。
（ハ）クランプ部と本体とはクランプ部固定を介しクランプ部を着脱できるようにする。
【図面の簡単な説明】
【０００７】
【図１】  培養細胞進展装置の上から見た図である。
【図２】  培養細胞進展装置の側面図である。
【符号の説明】
【０００８】  ▲１▼  固定アーム部
▲２▼  クランプ部固定ネジ
▲３▼  試料保持プレート固定用ネジ
▲４▼  試料保持プレート
▲５▼  試料支持部
▲６▼  可動アーム部
▲７▼  モーター
▲８▼  ベースプレート
▲９▼  試料
【図１】
2007054034.tif 000003
【図２】
2007054034.tif 000004
(57)【要約】      （修正有）【課題】ペットの糞を清潔かつ容易に収納することが可能な糞取り器を提供する。【解決手段】ペット糞取り器の本体枠５へ糞を捕捉するための紐付ビニール袋４を外側の開閉する枠３により固定するようにした。【選択図】図１
2007054037.tif 000002
【特許請求の範囲】
【請求項１】
ペットの糞を取るための手段として、金属製の器具を用いてビニール製の袋の中へ糞を捕捉するための糞取り器。
【発明の詳細な説明】
【技術分野】
【０００１】本発明はペットの糞を取るための、糞取り器に関するものである。
【背景技術】
【０００２】既存のペット糞取り器はスコップ型の形状ですくい取る物や、挟むような形状でつかみ取ってからその後、袋の中へ移し変える作業が発生していた。【０００３】従来技術のペット糞取り器にはビニール等の袋を備えたものがある。（例、特許文献１、２参照）【０００４】
【特許文献１】特開２００３−１５８９３７号公報
【発明の開示】
【発明が解決しようとする課題】
【０００５】従来技術のペット糞取り器では、大きさと重量などにおいて持ち運べる携帯性において不適であり、また糞をビニール袋などに捕捉した後に一旦その器具から取り外さなければならないという問題点がある。【０００６】本発明は、このような従来技術の問題を解決しようとするものであり軽量とコンパクト性を重視し簡単にビニール袋へ糞を収納することを目的とするものである。
【課題を解決するための手段】
【０００７】本発明はペットの糞を取るための手段として、金属製の器具を用いて糞取り器本体枠に固定された紐付ビニール製の袋へ糞を捕捉することによって上記課題を解決したものである。また更に本体枠に固定されてしまっているビニール袋を収納する作業において枠自体を開閉式にする事によりビニール袋上部に紐を設ける構造としたものである。
【発明の効果】
【０００８】本発明によれば、金属製の器具と紐付ビニール袋を使用してペットの糞を清潔かつ容易に収納する作業を行うことが可能である。尚且つ、枠が開閉してビニール袋を固定する事によって収納作業を確実に高めることが出来る。
【実施例】
【０００９】本発明の糞取りキャッチャーは図１に示されるように本体枠５へ取手６をリベット留めして、紐付ビニール袋４を内側の開閉する枠によって固定されている。【００１０】紐付ビニール袋４は上部より１０ｃｍ下の箇所へ穴を開けて紐を通している。【００１１】本体枠５はアルミニウム製の板の縁を内側へ折り曲げて強度を増した。【００１２】外側の開閉する枠３はアルミニウム製の板を内側へ折り曲げて強度を増した。【００１３】取手６は鋼線を使用して、根元部分には３回転より曲げ加工し後端部分は楕円形状とした。
【図面の簡単な説明】
【００１４】
【図１】本発明における糞取りキャッチャーの構成を示す外観図である。
【図２】ペット糞取り器の平面図である。
【符号の説明】
【００１５】３…外側の開閉する枠部分
４…紐付ビニール袋
５…本体枠
６…取手
【図１】
2007054037.tif 000003
【図２】
2007054037.tif 000004
(57)【要約】【課題】従来の製造方法とは全く違った方法で、産業廃棄物となるおからを出さない豆乳を作り、大豆成分を除去することなく、豆乳に大豆成分を余すことなく含有させることが出来る製造方法を発明した。【解決手段】生の乾燥大豆を水に長時間浸漬することなく、生の乾燥大豆をそのまま微粉末にして、分解酵素を利用して豆乳を製造することを考案した。この方法で重要なことは、分解酵素の能力を破壊しないように加熱温度を設定すること、一定時間加熱すること、空気を必要とするため攪拌をし続けることである。あとは、豆乳の濃度は水加減だけで、簡単な装置で、おいしい豆乳を製造することができる。【特許請求の範囲】
【請求項１】
おからを出さない豆乳の作り方
【発明の詳細な説明】
【技術分野】
【０００１】本発明は、おからを出さない豆乳に関するものであり、特に従来の豆乳の作り方とは全く違う製造方法で豆乳を作ることに関する。
【背景技術】
【０００２】従来の豆乳の作り方は、大豆を用意し、大豆は前日にきれいに洗い、水に浸漬する。浸漬時間は、およそ夏で１２時間、冬で２４時間。大豆の中に空間がなくなるまでが目安となる。
浸漬の終わった大豆は、ザルに上げて水を切っておく。次に、加工用具の殺菌と暖めのため回転釜に湯を沸かす。湯が沸いたら圧搾機、豆摺機に湯をかけ、寄せ桶に湯をはる。
回転釜に湯を適量入れ、暖める。適量のぬるま湯を使い大豆を豆摺機ですりつぶし「呉」にする。呉を回転釜の中に静かに入れる。沸騰するまで強火で煮る。沸騰したらかき混ぜながら１０分程度煮る。呉の温度を８５℃〜９５℃に維持するのが重要。次に、圧搾機の上に袋を置き、適温に煮沸した呉を入れて絞る。絞った液が豆乳で、絞り粕がおからになる。このように従来の豆乳の製造方法は、原料大豆−脱皮−浸漬−磨砕（呉）−加熱（８５〜９５℃）−分離（おからの除去）−調整−殺菌−均質化−充填の製造工程を経て、豆乳の製品化が行われている。
豆乳の規格は、日本農林規格（ＪＡＳ）で大豆固形分８％以上、タンパク質３．５％以上のものと規格されている。
【発明の開示】
【発明を解決しようとする課題】
【０００３】従来の豆乳製造方法は、廃棄物としてのおからの処理及びそれに伴うコスト。煮沸したときに消泡剤を使用する。
生の乾燥大豆を前日に洗って、水に長時間（夏１２時間、冬２４時間）浸漬しなければならない。装置が大掛かりである。製造工程が多い。豆乳の栄養成分がおからと分離されるため、大豆の栄養成分を十分に含んでいない。これらの課題を全て解決することができる。
【課題を解決するための手段】
【０００４】従来の豆乳製造方法の課題を解決するための手段として、前もって生の乾燥大豆を長時間水に浸漬することなく、乾燥大豆を生のまま適度の微粉末にする。
この適度に微粉末にされた適量の大豆と適切に配合された分解酵素を適量加え、釜の中に適量の水をたくわえ、微粉末の大豆と適切に配合された分解酵素を釜の中に入れる。「呉」を作ることもない。そのまま加熱すればよい。
加熱温度は５０℃程度に設定して、２時間から３時間程度温度を保ちながら、加熱しつづける。加熱温度を６０℃以上にすると、分解酵素が破壊され効果を失うので十分注意が必要である。
加熱している間、空気を取り入れることが大切で、大豆、分解酵素、水が十分混ざり合うように攪拌し続ける。２〜３時間程度が経過した後、豆乳が出来上がったら、一度８５℃〜９５℃に温度を上げて、分解酵素の効果を止めて、加熱を終了する。
この豆乳の製造方法は、おからを出さない。前もって長時間乾燥大豆を水に浸漬することがないため、時間が短縮できる。簡単な装置で製造工程を短く出来、人手もかからない。大豆の栄養成分を全て摂取できる。豆乳の濃度を水加減で簡単に調整できる。新鮮な豆乳を提供できる。
従来の豆乳製造方法とは全く違う画期的な豆乳製造方法である。
【発明の効果】
【０００５】従来の豆乳とは、全く違った豆乳が出来上がる。製造工程の違いはもとより、大豆丸ごとが成分とおからと分離された豆乳とでは、豆乳の栄養成分が全く違う。
今、日本は医療費の高騰に悩み、その解決策に苦しんでいる。この医療費を圧迫している原因は、生活習慣病の増加である。生活習慣病の増加の原因は、食生活と運動不足にある。食生活においては、食材に本来の力があれば、生活習慣病を克服できる。
日本人は、世界中で一番大豆を摂取している民族である。しかし、最近は加工され、食品添加物が含まれる食材が多く、天然素材の食材を摂取することが出来にくい。
豆乳の日本農林規格（ＪＡＳ）は、大豆固形分８％以上、タンパク質３．５％以上のものと規格されている。調整豆乳は、大豆固形分６％以上、タンパク質３％以上、豆乳飲料は、大豆固形分４％以上、タンパク質１．８％以上となっている。
本発明の豆乳は生の大豆をそのまま利用し、丸ごと豆乳にしたもので、大豆が持つ栄養成分（イソフラボン・サポニン等）を十分摂取できる。本発明の豆乳は、大豆固形成分、タンパク質の含有量はかなり高いことは間違いない。
また、大豆の効能効果は十分知られているが、女性ホルモン（エストロゲン）に化学構造が類似しているイソフラボンは女性の更年期障害（不定愁訴）の改善に役立ち、その他の成分は抗コレステロール作用、血圧効果作用、抗腫瘍作用、甲状腺肥大、糖尿病の治療と予防、ビフィズス菌増殖作用、脂質代謝改善作用などすばらしい効能効果が期待できる。
【発明を実施するための最良の形態】
【０００６】生の乾燥大豆を丸ごと活かした豆乳は、自然状態に維持しかつその新鮮さを保持しつつ素材から商品化への加工工程において、酵素や熱、水、圧力、空気、酸化等の品質劣化要因の少ない商品形態に考慮しなければならない。また、一日の生産量、消費量、摂取量、取扱い易さ、コスト、関係法規の要因も考慮しなければならない。
製品化は、自体公知の酵素或は食品添加物、賦形剤、医薬担体と自体公知の方法で配合し、効能効果を有する豆乳にすることができる。用いる酵素或いは食品添加物は特に限定するものではなく、目的とする効能効果の具体的用途に応じて当業者が適宜選択できる。また、形態も特に限定するものではなく、具体的用途に応じていろいろな形状にすることができる。
【実施例】
【０００７】国産の大豆１ｋｇ重量を微粉末にして、適切な比率で配合された酵素を１０ｇ重量、大豆成分と同じ比率で配合した果糖・ブドウ糖・蔗糖を２０ｇ重量に水６リットル重量を加え、鉄の寸胴にそれぞれを入れて、電磁パネルで５０℃の温度に設定し、２時間３０分間程度加熱した。
加熱している間、空気を入れる必要があるため攪拌機を使用した。
出来上がった豆乳は、濃厚で、とろみとこくさらに甘味があり、すばらしい豆乳でした。
乾燥生大豆からすぐに適量の水を入れ、加熱して簡単に出来る豆乳は画期的である。
【産業上の利用可能性】
【０００８】豆乳の製造方法は、非常に簡単で、おからを出さないため廃棄物がなく、小規模で家庭でも製造可能である。
この利点を生かし、病院の食事に、学校給食に、運動選手の合宿所に、旅館の食事に、食堂のメニューに、社員食堂に取り入れることが可能になる。
当然、豆腐製造会社が本発明の豆乳製造方法を導入することも考えられる。さらに、濃度の高い豆乳を粉末化して、粉末豆乳も製品化できる。非常に利用範囲の広い豆乳製造方法である。
(57)【要約】      （修正有）【課題】本来、灰皿等が設置されている所で喫煙すべきだが、無い所や歩行中の喫煙もよく見かけられる。その結果としての吸殻のポイ捨てをなくし、環境汚染や尊い人命、財産の損失を防ぐ。【解決手段】現在も携帯灰皿は数多く出回っているが、使い勝手、汚れ等、諸事情で喫煙者全員が携帯するには至っていないが、タバコボックスに灰皿とタバコ消火器具が付帯していればポイ捨ては無くなる。【選択図】図１
2007054032.tif 000002
【特許請求の範囲】
【請求項１】
灰皿とタバコ消火器具が三位一体化と成ったタバコボックス。
【請求項２】
灰皿とタバコ消火器具を一体化し簡単にタバコボックスに取り付けられる器具。
【請求項３】
携帯型使い捨てタバコ消火器具。
【発明の詳細な説明】
【技術分野】
【０００１】  本発明はタバコの吸殻のポイ捨てを防止するため、灰皿部分と消化確率度の高い消化筒部分及びタバコボックスが三位一体と成ったポイ捨て防止タバコボックスに関するものである。
【背景技術】
【０００２】  灰皿も、消化筒、タバコボックスも、それぞれ個々の器具として別々に存在している。
【発明の開示】
【発明が解決しようとする課題】
【０００３】  喫煙時、手元に灰皿や消火器具が無かったり歩行中ついポイ捨てされる吸殻が街中に散乱し美観を損ね又、尊い人命と財産をも奪う火災の原因になったりしているのが現状である。
【課題を解決するための手段】
【０００４】  本発明は、従来のタバコボックスに灰皿と消火確率の高い消化筒を三位一体化する事により上記課題を解決するものである。
【発明の効果】
【０００５】  行う人は、それほど罪の意識も無く、つい冒してしまう吸殻のポイ捨ても、本発明請求項１，２記載のタバコボックスに灰皿及び消化部分が一体と成っていればポイ捨ても行なわず街の汚染や尊い人命と財産を奪ってしまう火災も大幅に減らす事ができる。
【発明を実施するための最良の形態】
【実施例１】
【０００６】  本発明請求項１の灰皿とタバコ消化部分が三位一体と成ったタバコボックスは、図１で示すように、従来のタバコボックスと蓋付きタバコ消火器具を一体化して、その蓋が灰皿の用を兼ねるものである。
【実施例２】
【０００７】  本発明請求項２の灰皿とタバコ消火器具を一体化し簡単にタバコボックスに取付られる器具は、図２，３で示すように、灰皿とタバコ消火器具を一体化し両面テープ等で簡単にタバコボックスに取付けられるようにしたものである。
【実施例３】
【０００８】    本発明請求項３の、携帯型使い捨てタバコ消火器具は図４で示すように消火確率度の高い消火筒を数本組み合わせポケットにもタバコボックスにも入る手軽な携帯型使い捨てタバコ消火器具である。
【産業上の利用可能性】
【０００９】    地球の環境汚染が叫ばれてる昨今、ペットボトル等は、ＰＬ法に乗っとりメーカ側も、対応しているように、タバコ産業も其れ相当の若干の負担は、吸殻のポイ捨ての現状を考えると生か仕方ないと思われる。本発明のポイ捨て防止タバコボックス及び関連器具の原材料は、現在どのタバコメーカのボックスに使用されている物のみであるから、生産方法も簡易で、使用方法に至っては、誰もが一見して理解、納得する物です。どんな便利で素晴らしい物も高価な物では普及しないでしょうが、本発明は最小の負担で最大の効果が直ちに表れると思います。
【図面の簡単な説明】
【００１０】
【図１】本発明請求項１に係わる、灰皿とタバコ消火器具が一体と成ったタバコボックスの外観図である。
【図２】本発明請求項１に係わる、灰皿とタバコ消火器具が一体と成ったタバコボックスの展開図である。
【図３】本発明請求項２に係わる、灰皿とタバコ消火器具を一体化し、簡単にタバコボックスに取り付けられる器具の外観図である。
【図４】本発明請求項２に係わる、灰皿とタバコ消火器具を一体化し、簡単にタバコボックスに取り付けられる器具の展開図である。
【図５】本発明請求項３に係わる、携帯型使い捨てタバコ消火器具の外観図である。
【符号の説明】
１・・・・銀紙を内側に貼って灰皿兼タバコ消火部の蓋部分
２・・・・銀紙を巻いた消火筒
３・・・・銀紙を巻いた消火筒
４・・・・蓋のストッパー
５・・・・両面テープ
【図１】
2007054032.tif 000003
【図２】
2007054032.tif 000004
【図３】
2007054032.tif 000005
【図４】
2007054032.tif 000006
【図５】
2007054032.tif 000007
(57)【要約】      （修正有）【課題】杉木を部分的に活用する例はあるが、杉木全体に利用価値を見いだし、利用されにくかった杉木の利用方法を提供する。【解決手段】杉木の木本体、枝葉、花粉等の全てを利用しようとするものであり、杉木全体を粉砕し、粉砕の際に得た液体を食品として利用する。粉砕した残りの粉末を発酵させてこれを食品として利用する。最終的に残留したものは、地に撒いて土壌改善に役立てる。【選択図】なし【特許請求の範囲】
【発明の詳細な説明】
2007054039.tif 000002
2007054039.tif 000003
2007054039.tif 000004
2007054039.tif 000005
2007054039.tif 000006
2007054039.tif 000007
【手続補正書】
【提出日】平成18年9月1日(2006.9.1)
【手続補正３】
【補正対象書類名】特許請求の範囲
【補正対象項目名】全文
【補正方法】追加
【補正の内容】
【特許請求の範囲】
【請求項１】
杉木の全体を加工して有効な物を生産する方法。
【請求項２】
杉木の全体を加工して得られた成分を用いる食品。
【請求項３】
杉木の全体を加工して得られた土壌を改善する物。
【手続補正４】
【補正対象書類名】明細書
【補正対象項目名】全文
【補正方法】変更
【補正の内容】
【発明の詳細な説明】
【技術分野】
【０００１】  本発明は、低利用価値樹木（杉木）に利用方法を見出す資源利用技術に関する。
【技術背景】
【０００２】  従来の技術：  従来杉の利用に関して花粉や葉など部分的な利用があったが、杉木全体を活用できるものは見当たらない。
【０００３】  発明が解決しようとする課題：  従来技術では杉木を部分的に活用していたが、発明では杉木全体に利用価値を見出し、従来利用されにくかった杉木の利用を促進し、これまで大きく注目されてこなかった杉木の持つ栄養の恩恵にあずかる。これまで杉木が利用されなかった背景には、破壁、保存、鮮度保持の問題があった。
【０００４】  課題を解決するための手段：  低温大気還流及び航天風洞破壁等の技術を用い、破壁、保存、鮮度保持の問題を解決する。この技術を用いて杉木全体を粉砕し、粉砕の際得た液体を栄養豊かな食品として利用する。粉砕した残りの粉末を発酵させた菌を作り、これを加えて作ったパン、煎餅、麺等を食品として利用する。最終的に残留したものは、地に撒いて土壌改善に役立てられる。
【０００５】  発明の効果：  これまで管理もされていなかった杉木を人々の健康保持に役立つ食品として再利用し、杉花粉アレルギーの被害を減らす。また、管理されるようになる杉木林は豊かになり、花粉の飛散量が減り空気がきれいになる。花粉被害を抑えると医療費の負担も軽くなる。
杉木全体から利用可能な成分を精製し、森ミルク、森食品として食用になる。杉の木本体、枝葉、花粉すべての成分を生かして精製し、人間が消化しやすい絶好の食品となる。申請する商品は、人体に不可欠な各種栄養素（アミノ酸、ビタミン、たんぱく質、繊維等）を含むほか、酵素と補助酵素、核酸、単糖など２００種類を含有する。食生活を改善することにより免疫力を高め、花粉アレルギーを改善する。
杉木利用の残留したものを地に撒くことでその土地質を改善でき、杉木をまるまる利用できる。
(57)【要約】 【課題】          従来の便座システムには肛門洗浄水の噴射強弱により肛門をマッサージする機能はあるが、排便時に身体のツボを刺激し排便を促す、あるいはマッサージし体調を整える機能はない。また、便座着座体位にあわせ便座の角度、高さの調整を可能とする機能はない。【解決手段】        本システムは便座、あるいは便座に取り付けられている付属機器にツボ刺激機能を付加し排便中に排便を促す、またマッサージ機能を付加し排便中に体調を整える。また、個人差がある便座着座体位にあわせ便座の角度、高さの調整を可能とする。            【選択図】    図１
2007054240.tif 000002
【特許請求の範囲】
【請求項１】
便座、あるいは便座に取り付けられている付属機器に身体のツボを刺激する機能を付加することにより排便時にツボを刺激し排便を促進させることを特徴とする便座システム
【請求項２】
請求項１記載の便座システムにおいて便座、あるいは便座に取り付けられている付属機器に身体をマッサージする機能を付加することにより排便時に身体をマッサージし体調を整えることを特徴とする便座システム。
【請求項３】
請求項１記載の便座システムにおいて個人差がある便座着座体位にあわせ便座、あるいは便座に取り付けられている付属機器の角度、高さの調整を可能とすることを特徴とする便座システム。
【発明の詳細な説明】
【技術分野】
【０００１】
この発明は便座システムに関する。
【背景技術】
【０００２】
従来の便座システムには肛門洗浄水の噴射強弱により肛門をマッサージする機能はあるが、排便時に身体のツボを刺激し排便を促す、あるいはマッサージし体調を整える機能はない。また、個人差がある便座着座体位にあわせ便座の角度、高さの調整を可能とする便座システムはない。
【発明の開示】
【発明が解決しようとする課題】
【０００３】
身体には排便を促すツボがある。そのツボを便座に着座した時に刺激することにより排便を促す。また、便座に着座している時間を有効活用し身体をマッサージすることにより体調を整える。また、個人差がある便座着座体位にあわせ便座の角度、高さの調整を可能とすることにより排便をしやすくする。
【課題を解決するための手段】
【０００４】
そして、上記目的を解決するための本発明の第１の課題解決手段は、便座、あるいは便座に取り付けられている付属機器に身体のツボを刺激する機能を付加することにより排便時にツボを刺激し排便を促進させることを特徴とする便座システムである。
【０００５】
また、第２の課題解決手段は、第１の課題解決手段記載の便座システムにおいて便座、あるいは便座に取り付けられている付属機器に身体をマッサージする機能を付加することにより排便時に身体をマッサージし体調を整えることを特徴とする便座システムである。
【０００６】
また、第３の課題解決手段は、第１の課題解決手段記載の便座システムにおいて個人差がある便座着座体位にあわせ便座、あるいは便座に取り付けられている付属機器の角度、高さの調整を可能とすることを特徴とする便座システムである。
【０００７】
上記第１の課題解決手段による作用は次の通りである。便座、あるいは便座に取り付けられている付属機器に付加されている身体のツボを刺激する機能により排便時にツボを刺激し排便を促進させる。
【０００８】
上記第２の課題解決手段による作用は次の通りである。便座、あるいは便座に取り付けられている付属機器に付加された身体マッサージ機能により排便時に身体をマッサージし体調を整える。
【０００９】
上記第３の課題解決手段による作用は次の通りである。
個人差がある便座着座体位にあわせ便座、あるいは便座に取り付けられている付属機器の角度、高さの調整を可能とすることにより排便がしやすくなる。
【発明の効果】
【００１０】
以上説明したように、この発明によれば
１、排便時身体のツボを刺激することにより排便を促すことが出来る。
【００１１】
２、排便時ツボを刺激し、マッサージをすることにより体調を整えることが出来る。
【００１２】
３、個人差のある利用者の体位に合わせ便座の角度、高さを調節することにより適切にツボが刺激でき、また排便しやすい体位をとることが出来る。
【発明を実施するための最良の形態】
【００１３】
この発明は、図１に示すとおり便座、あるいは便座に取り付けられている付属機器にツボ刺激、あるいはマッサージ機能を付加することにより、あるいは連結することにより実現できる。
【００１４】
また便座、あるいは便座に取り付けられている付属機器の高さ、及び角度を調整可能とすることにより実現できる。
【実施例１】
【００１５】
身体のツボ刺激、あるいはマッサージの方法は物理的にツボを刺激、あるいはマッサージするのでもよい。また、電気的にツボを刺激、あるいはマッサージするものでもよい。また、磁気によりツボを刺激、あるいはマッサージするのでもよい。また、温度によりツボを刺激、あるいはマッサージするのでもよい。
【実施例２】
【００１６】
身体のツボ刺激、あるいはマッサージ器具Ｃを図１に示すように便蓋Ｂの背もたれ部分に取り付けて背中のツボを刺激、あるいはマッサージするのでもよい。また、便座Ａに取り付けて太もものツボを刺激、あるいはマッサージするのでもよい。また、足裏刺激、あるいはマッサージ器具Ｄを連結し足裏のツボを刺激、あるいはマッサージするのでもよい。
【実施例３】
【００１７】
便座Ａ、あるいは便蓋Ｂに角度調整できるリクライニング機能、および便高さを調整できる機能を付与する。また、足裏刺激、あるいはマッサージ器具Ｄに角度調整できるリクライニング機能、および便高さを調整できる機能を付与する。
【００１８】
図２は本便座システムを側面から見た図であり、図３は便座システムのリクライニングした図を表している。
【図面の簡単な説明】
【００１９】
【図１】本便座システム全体図で、ツボ刺激、あるいはマッサージ器具を付加、あるいは連結した例を示している。
【図２】本便座システムを側面から見た図を示している。
【図３】本便座システムを側面から見たリクライニング機能を示している。
【符号の説明】
【００２０】
Ａ  便座
Ｂ  便蓋
Ｃ  ツボ刺激、あるいはマッサージ器具
Ｄ  足裏刺激、あるいはマッサージ器具
Ｅ  システム制御装置
【図１】
2007054240.tif 000003
【図２】
2007054240.tif 000004
【図３】
2007054240.tif 000005
(57)【要約】【課題】フィルター濾過器の短所として、濾材の目詰まりがし易い、フィルター交換時期が長いので、濾過された濾過物質を長期に保管する事になり濾過器の中では簡易的な濾過能力の悪い濾過器と言われている。【解決手段】フィルター濾過器の濾過器内を定期的、不定期に係らず、循環水を濾過タンク内で逆流させるようなシステムを設け、逆流洗浄を行うことで、濾過タンク内及びフィルター表面に附着している濾過物質、ごみを循環システムの外に洗い流すことで、短期的にフィルターの再生回復させることができ、フィルターの濾材の目詰り、目詰まりして濾過能力の落ちると言う、フィルター濾過器の短所と言われた事を、改善できるという方法の提案をする。【選択図】          図2
2007054707.tif 000002
【特許請求の範囲】
【請求項１】
循環槽から循環水を吸水し、所定の循環水路にて循環水を濾過及び浄化している循環濾過装置であって、定期的、不定期に係らず、コック又はバルブ等の配管継ぎ手を介して、電気的又は手動操作にて、開閉を切替え、循環水の循環経路を変更して、循環水を逆流させる装置を設けた、フィルター循環濾過装置の方法を提案する。
【請求項２】
循環槽から循環水を吸水し、所定の循環水路にて循環水を濾過及び浄化している循環濾過装置で、定期的、不定期に係らず、コック又はバルブ等の配管継ぎ手を、電気的又は手動操作にて、開閉をし、循環水の循環経路を変更し、循環水を逆流させる装置を設けた、フィルター循環濾過装置であって、循環水を逆流させることで、フィルター濾過タンク内のフィルターに付着している濾過物、及びゴミ等を濾過器内から排出し、洗浄する事で、フィルターが再生、回復が出来る方法を提案する。
【請求項３】
フィルターの濾材として、スパン同士の接着力が強く、スパンが解けたり、外れたりしない紙、又は不織布を、筒状の形にした物を、フィルター濾過器の濾材としたフィルターとして使用する事で、
【請求項４】
及び
【請求項５】
の逆洗装置と構成する事で、フィルター濾過器の逆洗が出来、循環濾過器内に付着したヌルを除去し、雑菌の発生を抑える濾過器とする方法の提案とする。
【発明の詳細な説明】
【技術分野】
【０００１】
本発明は循環槽から循環水を吸水し、所定の循環経路にて循環水を濾過及び浄化している循環濾過装置であり、そして種々の循環濾過機器の中のフィルター循環濾過器について、設備機器内に蓄積,付着される有機、無機物質鉄等の含有物質を主体とするヌルを始め、汚染物質等を、循環濾過器内、主にフィルターに濾過され、付着している不純物を、循環水を逆流させ外部に排水させる事で、除去できるという洗浄方法と装置に関するものである。
【背景技術】
【０００２】
本来、日本のあらゆる場所には地下からの湧き水が豊富にあり、川には清流として日本景観を構成し、美しい日本として世界に誇れるものであったが、今では、川の清流も汚染状態が進んでいる。そこで限り有る水資源、水の再利用として、各種循環機器が重要視され、その中でも砂濾過器、フィルター濾過器、珪藻土濾過器などが主流となっている。
【０００３】
現在のフィルター濾過器にはパイプの心棒にロープ上の紐を巻き付けた物なので、循環水を逆流されることで巻き付けている紐が解けてしまう為に、フィルター濾過器は逆流の出来ない濾過器として、又生物幕（ヌル）の付き易い、除去の出来ない濾過器とされている。
【発明の開示】
【発明が解決しようとする課題】
【０００４】
フィルター濾過器は逆洗が出来なくて、フィルターを定期的に、取り替えない限り、いつまでも濾過された付着物、ゴミが取り除けずに、ヌルが付着し、雑菌の繁殖のし易い、簡易の濾過器と考えられている。
【課題を解決するための手段】
【０００５】
循環濾過器に流れの方向を切り変えることの出来るシステムを設け、フィルターを逆流に耐え得るフィルターと組み合わせることで、循環水を逆流し、排水する事で
フィルター濾材の表面に付着している濾過、及び浄化された物質、濾過器内に蓄積されたヌルを除去する方法を提案する。
【発明の効果】
【０００６】
循環水を循環濾過器の中で、逆流させる事で、フィルター濾材の表面に濾過された付着濾過物質を剥離させ、目詰まりし濾過の能力が落ち、濾過器の内壁に溜まっている汚染物を循環水と共に濾過システム外に排出させることで、濾過タンク内の洗浄ができ、フィルターの再生回復がされて、長期に安全に使用できる濾過器とすることが出来た。
【発明を実施するための最良の形態】
【０００７】
フィルター機能を有する物で、フィルターの濾材を逆圧、又は、逆流をかけたときに、濾材としての働きを常に保ち、濾材がバラバラになったり、抜け落ちたり、破損しない濾材を使用したフィルターに替える。
【図面の簡単な説明】
【０００８】
【図１】全体のシステム図面で、通常の循環順経路を表わす。排水用Ｃ及びＤのバルブを閉とし、Ａ四方弁をＱ濾過タンクに、Ｂ三方弁をＲ加熱器に流れる様に切り変える事で、循環槽Oにある循環水はP−S―E―A―Q―B―R―Oに戻り循環水の濾過をすることになる、
【図２】全体のシステム図面で、通常の循環逆洗経路を表わす。排水用Cのバルブを閉にし、Dのバルブを開き、Aの四方弁をSからBに、Bの三方弁をAからB,そしてQの濾過タンクに流れる様に切り替える事で、循環槽Oにある循環水を使い、P−S―E―A―B―Q―A―D―Tで排水する事で、循環水を濾過し蓄積されたゴミを洗い流し、外に廃棄される、濾過器タンク内の洗浄をすることとなる、
【符号の説明】
【０００９】
1  Ａ−四方弁，Ｂ−三方弁，Ｃ−濾過器排水スットプバルブ，Ｄ−逆洗浄用ストップバルブ，Ｅ−加圧ポンプ逆止弁，
Ｏ−循環槽，Ｐ−ＨＣタンク．Ｑ−循環濾過タンク，Ｒ−加熱器（ボイラー），Ｓ−加圧ポンプ  
T−排水
【図１】
2007054707.tif 000003
【図２】
2007054707.tif 000004
(57)【要約】【課題】  アスベスト吹き付け材又はアスベスト含有飛散性建材は空気の含有率が７０〜８０％と高く、廃棄物の取扱作業や最終処分場の埋め立ての効率が悪い。特別管理型最終処分場は不足しているが、空気を押し出し減容化し、固化し処分する方法や機材が無い。【解決手段】  本発明はアスベスト吹き付け材又はアスベスト含有飛散性建材に凝固剤を噴き付け剥離し、または剥離後、凝固剤と練り混ぜたものを、圧縮容器又は、アスベスト廃棄用ポリ袋に入れたまま圧縮して空気を押し出し、アスベスト含有骨材と凝固剤を押し固め、大幅に減容し固化する機能と、任意の型を用い所望の形に押し固め成型し固化出来る機能を提供する器具。【選択図】図１
2007275857.tif 000002
【特許請求の範囲】
【請求項１】
アスベスト吹き付け材、又はアスベスト含有飛散性建材を除去し、廃棄をする際、凝固剤を噴き付け、または混ぜて圧縮することにより空気を押し出し、アスベストを含む骨材と凝固剤を圧縮し押し固め、アスベスト廃棄物を減容し固化する装置。
【請求項２】
アスベスト吹き付け材、またはアスベスト飛散性建材など、アスベスト廃棄物を減容し固化する際、さらに所望する型を圧縮用台座に用意し、圧縮することにより任意の形にアスベスト廃棄物を成型が出来ので、移動、運送や埋め立ての際運びやすく、更にアスベスト廃棄物を特別管理型最終処分場で埋め立ての際、必要とされるスペースを少なくする事が出来るようにする減容固化装置。
【発明の詳細な説明】
【技術分野】
【０００１】  この発明はアスベスト吹き付け材除去作業を行う際排出されるアスベスト吹き付け材またはアスベスト含有飛散性建材に凝固剤を混ぜ圧縮し、空気を押し出し、又は空気を吸出し、アスベストを含む骨材など固体相と凝固剤を押し固めることによりアスベスト廃棄物を減容化する技術に関する。
【背景技術】
【０００２】  従来のアスベスト除去作業により排出されるアスベスト吹き付け材、またはアスベスト含有飛散性建材は空気を７０〜８０パーセント含んだ状態のまま、法により指定されたポリ袋に入れ、全国でも数少ない特別管理型最終処分場にアスベスト廃棄物を埋め立て処分する。埋め立てをする際、アスベスト廃棄物は空気を７０〜８０パーセント含んだ状態でポリ袋にいれ埋め立てられるが、覆土の締りが悪いので特別管理型最終処分場では通常より覆土の量を多くして埋め立てている。【０００３】  また、今までの技術では貴重な特別管理型産業廃棄物処分場を空気で埋め立てているにもかかわらず、アスベストのアスベスト固化や、圧縮、硬化をして減容化する技術に関する特許文献は無かった。
【発明の開示】
【発明が解決しようとする課題】
【０００４】  しかしながら、以上の技術によればアスベスト吹き付け材及びアスベスト含有飛散性建材除去作業により排出されるアスベスト廃棄物は、空気を７０〜８０パーセント含んだ状態でアスベスト廃棄用ポリ袋にいれ埋め立てられるので、空気を埋め立てている事となり、最終処分場の分類でも特に設置が難しく、新規認定許可が難しい特別管理型最終処分場は埋め立て容量がいっぱいになることを恐れ、受け入れに難色を示している。【０００５】  また、圧縮し固化しただけでは個々の廃棄物の移動、運送、埋め立ての際、個々の処理袋との間に間隙が多く出来るので、個々の形が不定形では取り扱いにくい。更にアスベスト廃棄物の形が成型されていないことから、個々のアスベスト廃棄物との間隙が多く、運搬の際の作業車のスペースの肥大、埋め立ての際の必要とされる処分場のスペースの増加が問題となっている。
【課題を解決するための手段】
【０００６】  以上の課題を解決する為に第一発明によれば、本発明によるアスベスト圧縮は機械式圧縮装置で、廃棄するアスベスト吹き付け材又はアスベスト含有飛散性建材に凝固剤を含浸させ、アスベスト廃棄用ポリ袋に入れ圧縮用台座に置き、たとえば、袋の上部から下へ向かい圧縮することによりアスベスト吹き付け材中の空気を押し出す、また上部からだけではなく下部から、又は側面からの圧縮でもよく、圧縮し空気を押し出し圧縮し減容固化する装置。【０００７】  第二発明によれば、廃棄するアスベスト吹き付け材又はアスベスト含有飛散性建材を圧縮する際、圧縮台座の形を任意の型、大きさにすることにより、圧縮しながらアスベスト吹き付け材の形を押し固めながら整えることが出来、かさばらず個々の処理物の間隙が大変少なくなり、運搬や、埋め立ての際、一定の容量の中に多くの廃棄アスベスト含有物の量をいれることが出来るので、アスベストの減容処理ができる装置。
【発明の効果】
【０００８】  以上の様に、本発明によれば、アスベスト除去作業の際、廃棄アスベスト吹き付け材、又はアスベスト含有飛散性建材に、凝固剤を混ぜ、又は含浸させ、アスベスト廃棄物をポリ袋に入れ、ポリ袋の上から圧縮することにより空気を押し出して減容し、さらに硬化させ廃棄出来るので、アスベスト埋め立ての際の最終処分場の埋め立てに必要な容積を大幅に削減できる。
【発明を実施するための最良の形態】
【０００９】  以下本発明の最良の実施形態を図面に基づき説明する。【００１０】  図１に示すように本装置は支点連結部１、支柱２、台座３からなる構成と、圧縮作用棒連結部４、圧縮作用棒５と、圧縮棒６、押し当て板７と成形容器８からなる。【００１１】  支点連結部１、支柱２、台座３からなる構成は溶接又はねじ止め、又は組み立てにより作られる。【００１２】  圧縮作用棒連結部４、は支点連結部１へ差込み、又は、ねじ止めなどにより連結し、自由に圧縮作用棒５が動くように連結する。【００１３】  圧縮棒６、は圧縮作用棒５に差し込み、又は、ねじ止めなどにより連結し、自由に動くように連結する。
押し充て板７は圧縮棒６に溶接又はネジで固定する。
【実施例】
【００１４】  成形容器８に入れたアスベストを押し当て板７が押すように置く。【００１５】  成形容器８にアスベスト、又はポリ袋等に入れた廃棄物を入れ、圧縮作用棒５を押し下げることにより、圧縮棒６が押し下がり、押し当て板７が圧縮し空気を押し押し固める。【００１６】  支点連結部１は圧縮作用棒連結部４と連結し図にあるように上下に動くが、図に書き示して無いが左右に動いても良い。【００１７】  成形容器８は容器自体の形を変えても良いが、任意で整えたい型を成形容器８へ入れ圧縮成形に用いても良い。【００１８】  圧縮作用棒５の長さは圧縮する対象物により変えることが出来る。
【産業上の利用可能性】
【００１９】  日本国内で使用されたアスベストは４０００万ｔを超え、今後４０年間で埋め立て処分することとなっているが、現在ある特別管理型最終処分場の処理容積では足らない。本発明を用い現用の埋め立て処理技術の三分の一に減容できる本発明は、安定した今後のアスベスト処理に好適である。
【図面の簡単な説明】
【００２０】
【図１】アスベスト圧縮機側面図である。
【図２】アスベスト圧縮機側面図であり、作用棒５を押し下げた圧縮模式図である。
【図３】アスベスト圧縮機の各パーツ正面図である。
【符号の説明】
【００２１】１  支点連結部
２  支柱
３  台座
４  作用棒連結部
５  作用棒
６  圧縮棒
７  押し当て板
８  ポリ袋用成型容器
【図１】
2007275857.tif 000003
【図２】
2007275857.tif 000004
【図３】
2007275857.tif 000005
(57)【要約】【課題】寝具に用いる従来の掛け布団や敷き布団は、その布団のみで寒さに耐えられない場合には、毛布や肌掛け、電気毛布や電気敷布を使用しているが、掛け布団や敷き布団のみで睡眠時の寒さから身体を守ることのできる熱を発する掛け布団と敷き布団を提供すると共に、天日や乾燥機で乾燥する手間を省くこともできる掛け布団と敷き布団を提供することにより、常に購入時の布団のふわふわ感が保て、快適な睡眠を可能とさせることを課題とした。【解決手段】寝具に用いる従来の掛け布団や敷き布団の中綿の間に、サンドウィッチ状態に、電気毛布や電気敷布に類似したヒーターを組み込むことにより製造する、ヒーターを内蔵した掛け布団と敷き布団を提供することをその手段とする。【選択図】図１
2007275523.tif 000002
【特許請求の範囲】
【請求項１】
寝具として使用する掛け布団や敷き布団の中綿の間に、サンドウィッチ状態に、電気毛布、または、電気敷布に類似したヒーターを組み込んで製造する、ヒーターを内蔵した掛け布団と敷き布団。
【発明の詳細な説明】
【技術分野】
【０００１】  本発明は、寝具として使用する掛け布団や敷き布団の中綿の間に、サンドウィッチ状態に、電気毛布、または、電気敷布に類似したヒーターを組み込んで製造する、ヒーターを内蔵した掛け布団と敷き布団に関するものである。
【背景技術】
【０００２】  従来、寝具として使用する掛け布団や敷き布団は、もめん綿や化学繊維を使用した綿や羽毛や羊毛などを中綿として使用して製造れている。【０００３】  本発明に類似した技術としては、その掛け布団や敷き布団だけでは睡眠時の寒さに耐えられない場合において使用するために毛布や肌掛け、電気毛布や電気敷布などがある。【０００４】  本発明が提供するヒーターを内蔵した掛け布団や敷き布団のように、布団が独自に熱を発して寒さから身体を守ったり、ヒーターが内蔵されているので布団の水分を蒸発させることにより乾燥させる手間が省ける掛け布団や敷き布団は今迄になかった。
【発明の開示】
【発明が解決しようとする課題】
【０００５】  そこで本発明は、掛け布団と敷き布団のみで睡眠時の寒さから身体を守ることのできる熱を発する掛け布団と敷き布団を提供すると共に、天日や乾燥機で乾燥する手間を省くこともできる掛け布団と敷き布団を提供することにより、常に購入時の布団のふわふわ感が保て、快適な睡眠を可能とさせることを課題とした。
【課題を解決するための手段】
【０００６】  上記課題を解決するために、従来の掛け布団や敷き布団の綿の間にサンドウィッチ状態に、電気毛布や電気敷布に類似したヒーターを組み込んで製造する、ヒーターを内蔵した掛け布団と敷き布団を提供することをその手段とする。
【発明の効果】
【０００７】  以上説明したように、本発明のヒーターを内蔵した掛け布団と敷き布団は、毛布や肌掛け、電気毛布や電気敷布を使用することなく、掛け布団と敷き布団のみで睡眠時の寒さから身体を守る効果がある。【０００８】  また、本発明のヒーターを内蔵した掛け布団と敷き布団は、布団の綿の間ににヒーターを組み込んだことにより、布団が人体やその他から吸収する水分をその熱により蒸発させるため、水分が綿に残留しないので、煩わしい布団の天日干しや乾燥をしなくても済み、常に購入時の布団のふわふわ感が保て、快適な睡眠を可能にする効果がある。【０００９】  なお、本発明のヒーターを内蔵した掛け布団と敷き布団は、布団の綿の間ににヒーターを組み込んで製造することから、布団に使用する綿は、新品でも打ち直し済みの再製品の綿を使用して製造することも可能であることから、要望に応じてはすでに家庭にある掛け布団や敷き布団を改良して、ヒーターを内蔵した掛け布団と敷き布団を製造できる効果もある。
【発明を実施するための最良の形態】
【００１０】  以下本発明を図示の実施の形態により具体的に説明する。【００１１】  図１は、掛け布団１、敷き布団２の中綿３の間にヒーター５が組み込まれている構造を説明したものである。【００１２】  図２は、掛け布団１を一例とした図であるが、敷き布団２も同様に、電源接続プラグ４をコンセント０に差し込むと、電気が主電源コード９を流れて配電コントロール器８の電源ＯＮ、ＯＦＦスイッチ８ａがＯＮされると温度調節スイッチ８ｂ、配電切り替スイッチ７、ヒーター接続コード１０を電気が経由してヒーター５が加熱することにより暖かな布団となる。【００１３】  図３は、敷き布団２を一例とした図であるが、掛け布団１も同様にヒーター配線例イ５ａ、ヒーター配線例ロ５ｂのヒーターへの配電方法を図示した図であり、配電コントロール器８の配電切替スイッチの切替により、ヒーター５全体もしくは点線部分５ｂと実線部分５ａの部分に分けて加熱することもできる。【００１４】  図１、図２、図３における布団１、２と配電コントロール器８や、その他の図面の縮尺率は、図を説明するために不均等縮尺率で表現してある。【００１５】  また、配電コントロール器８には温度調節スイッチ８ｂや、ヒーター５、５ａ、５ｂに常備されているサーモスタット６が感知した温度を配電コントロール器８に伝えると、温度調節スイッチ８ｂで設定されている温度にコントロールできることで、必要以上の温度を制御して、高温等による事故も防止することができる他に、図には示してないが配電コントロール器８にタイマーを組み入れてヒーター５、５ａ、５ｂの発熱時間を制御することも可能であるが、電源部に市販されているタイマーを取り付けて使用してもよい。【００１６】  なお、使用するヒーター５、５ａ、５ｂは、独自に開発したヒーターを使用する他に、市販されている電気毛布、及び、電気敷布の製造元との提携によりその電気毛布や電気敷布などのヒーターを活用してもよく、主に使用するヒーターはひも状の防水ヒーターなどを使用するが、安全性に問題がなければ他のヒーターを任意で使用してもよい。【００１７】  さらに、掛け布団１、敷き布団２の中綿３の間に、ヒーター５、５ａ、５ｂが組み込まれて熱を発散することにより、布団に付着した水分を蒸発させて常に乾燥状態を保つことができる。
【図面の簡単な説明】
【００１８】
【図１】  本発明の、ヒーターを内蔵した掛け布団と敷き布団に、ヒーターを組み込んだ構造全体を図示する透視断面斜視図である。
【図２】  本発明の、ヒーターを内蔵した掛け布団と敷き布団の、配電コントロール器を拡大して平面図で表現説明すると共に電気経路等を含み図示説明した斜視図である。
【図３】  本発明の、ヒーターを内蔵した掛け布団と敷き布団の、ヒーターの区分配列方法を図示した斜視図であり配電コントロール器は平面図で表現してある。
【符号の説明】
【００１９】０    コンセント
１    掛け布団
２    敷き布団
３    中綿
４    電源接続プラグ
５    ヒーター
５ａ  ヒーター配線例イ（実線部）
５ｂ  ヒーター配線例ロ（点線部）
６    サーモスタット
７    配電切り替えスイッチ
８    配電コントロール器
８ａ  電源ＯＮ、ＯＦＦスイッチ
８ｂ  温度調節スイッチ
９    主電源コード
１０  ヒーター接続コード
【図１】
2007275523.tif 000003
【図２】
2007275523.tif 000004
【図３】
2007275523.tif 000005